(57)【要約】【課題】複数の筆記体の保管が容易となるとともに、熱変色性インキの筆跡を小さな荷重で容易に熱変色することができる熱変色性筆記具を提供する。【解決手段】第１の筆記体２Ａが、一端にペン先３Ａを備え且つ内部に第１の熱変色性インキが収容される。第２の筆記体２Ｂが、一端にペン先３Ｂを備え且つ内部に第２の熱変色性インキが収容される。キャップ４が、第１の筆記体２Ａのペン先３Ａ側を挿着可能な第１の挿着孔４Ａと、第２の筆記体２Ｂのペン先３Ｂ側を挿着可能な第２の挿着孔４Ｂとを備える。第１の挿着孔４Ａと第２の挿着孔４Ｂとを、互いに平行に設け且つ同一方向に開口させる。キャップ４の外面に摩擦部５を設ける。第１の熱変色性インキによる筆跡及び第２の熱変色性インキによる筆跡の各々を摩擦部５によって摩擦し、その際に生じる摩擦熱で前記筆跡の各々が熱変色可能である。【選択図】  図１
2009107229.tif 000002
【特許請求の範囲】
【請求項１】
熱変色性インキを内蔵した熱変色性筆記具であって、
第１の筆記体が、一端にペン先を備え且つ内部に第１の熱変色性インキが収容され、前記第１の筆記体のペン先から第１の熱変色性インキが吐出可能に構成され、
第２の筆記体が、一端にペン先を備え且つ内部に第２の熱変色性インキが収容され、前記第２の筆記体のペン先から第２の熱変色性インキが吐出可能に構成され、
キャップが、第１の筆記体のペン先側を挿着可能な第１の挿着孔と、第２の筆記体のペン先側を挿着可能な第２の挿着孔とを備え、
前記第１の挿着孔と前記第２の挿着孔とを、互いに平行に設け且つ同一方向に開口させ、
前記キャップの外面に摩擦部を設け、
前記第１の熱変色性インキによる筆跡及び前記第２の熱変色性インキによる筆跡の各々を前記摩擦部によって摩擦し、その際に生じる摩擦熱で前記筆跡の各々が熱変色可能であることを特徴とする熱変色性筆記具。
【請求項２】
キャップ全体が摩擦部と共通な材料により形成される請求項１記載の熱変色性筆記具。
【請求項３】
キャップが、第１の挿着孔及び第２の挿着孔を備えたキャップ本体と、前記キャップ本体の外面に固着される摩擦部とからなる請求項１記載の熱変色性筆記具。
【請求項４】
前記第１の熱変色性インキの発色状態の色と前記第２の熱変色性インキの発色状態の色とが異なる請求項１乃至３の何れかに記載の熱変色性筆記具。
【請求項５】
前記第１の熱変色性インキ及び前記第２の熱変色性インキの各々の、摩擦部の摩擦熱による変色温度を２５℃〜９５℃に設定した請求項１乃至４の何れかに記載の熱変色性筆記具。
【発明の詳細な説明】
【技術分野】
【０００１】
本発明は、熱変色性筆記具に関する。詳細には、熱変色性インキを内蔵した熱変色性筆記具に関する。
【背景技術】
【０００２】
従来、熱変色性インキを内蔵した熱変色性筆記具において、特許文献１には、熱変色性インキによる筆跡を摩擦熱で熱変色させるための摩擦体を、キャップの頂部に設ける構成や、軸胴の後端に設ける構成が記載されている。
【０００３】
【特許文献１】特開２００４−１４８７４４号公報
【発明の開示】
【発明が解決しようとする課題】
【０００４】
前記従来の熱変色性筆記具は、複数の筆跡（例えばペン先種類やインキ色の異なる筆跡）を得るにはそれに応じた複数の筆記具が必要となり、用意する筆記具の総本数が増加し、携帯時や保管時、筆記具を紛失させるおそれがある。また、前記従来の熱変色性筆記具は、摩擦体が、各々の筆記具のキャップや軸胴に設けられるため、摩擦体を使用する際、各々の筆記具のキャップまたは軸胴を把持するため、摩擦時の摩擦体に加える力を大きなものにするおそれがある。
【０００５】
本発明は、前記従来の問題点を解決するものであって、複数の筆記体の保管が容易となるとともに、熱変色性インキの筆跡を小さな荷重で容易に熱変色することができる熱変色性筆記具を提供しようとするものである。
【課題を解決するための手段】
【０００６】
本願の第１の発明は、熱変色性インキを内蔵した熱変色性筆記具であって、第１の筆記体２Ａが、一端にペン先３Ａを備え且つ内部に第１の熱変色性インキが収容され、前記第１の筆記体２Ａのペン先３Ａから第１の熱変色性インキが吐出可能に構成され、第２の筆記体２Ｂが、一端にペン先３Ｂを備え且つ内部に第２の熱変色性インキが収容され、前記第２の筆記体２Ｂのペン先３Ｂから第２の熱変色性インキが吐出可能に構成され、キャップ４が、第１の筆記体２Ａのペン先３Ａ側を挿着可能な第１の挿着孔４Ａと、第２の筆記体２Ｂのペン先３Ｂ側を挿着可能な第２の挿着孔４Ｂとを備え、前記第１の挿着孔４Ａと前記第２の挿着孔４Ｂとを、互いに平行に設け且つ同一方向に開口させ、前記キャップ４の外面に摩擦部５を設け、前記第１の熱変色性インキによる筆跡及び前記第２の熱変色性インキによる筆跡の各々を前記摩擦部５によって摩擦し、その際に生じる摩擦熱で前記筆跡の各々が熱変色可能であること（請求項１）を要件とする。（図１乃至図６参照）
【０００７】
前記第１の発明の熱変色性筆記具１は、複数の筆記体をまとめて保管することができ、各々の筆記体２Ａ・２Ｂの紛失を防止できる。また、前記第１の発明の熱変色性筆記具１は、摩擦時の把持する部材（即ちキャップ）を大きくでき、熱変色性インキの筆跡を小さな荷重で容易に熱変色することができる。また、前記第１の発明の熱変色性筆記具１は、各々の筆記体に摩擦部５を設ける必要がないため、部品点数の増加を抑えることができる。
【０００８】
本願の第２の発明は、前記第１の発明において、キャップ４全体が摩擦部５と共通な材料により形成されること（請求項２）を要件とする。（図１乃至図３）
【０００９】
前記第２の発明の熱変色性筆記具１は、キャップ４全体を摩擦部５とすることができ、キャップ４の一部に摩擦部５を設ける構成に比べて、摩擦時にキャップ４を持ち替える時間を短縮できる。
【００１０】
本願の第３の発明は、前記第１の発明において、キャップ４が、第１の挿着孔４Ａ及び第２の挿着孔４Ｂを備えたキャップ本体６，６Ａ，６Ｂと、前記キャップ本体６，６Ａ，６Ｂの外面に固着される摩擦部５とからなること（請求項３）を要件とする。（図４乃至図６参照）
【００１１】
前記第３の発明の熱変色性筆記具１は、第１の筆記体２Ａ及び第２の筆記体２Ｂと適正な挿着が可能な第１の挿着孔４Ａ及び第２の挿着孔４Ｂを容易に形成できる。尚、前記第３の発明の熱変色性筆記具１において、例えば、前記摩擦部５は、キャップ４の外面に２色成形により一体に形成する構成、またはキャップ４と別部品からなる摩擦部５をキャップ４の外面に固着（例えば、嵌着、圧入、螺着、接着、溶着）する構成が挙げられる。
【００１２】
本願の第４の発明は、前記第１乃至第３の発明において、前記第１の熱変色性インキの発色状態の色と前記第２の熱変色性インキの発色状態の色とが異なること（請求項４）を要件とする。
【００１３】
前記第４の発明の熱変色性筆記具１は、第１の熱変色性インキと第２の熱変色性インキによる発色状態の色が異なる２種類の筆跡を、摩擦部５の摩擦熱により一度に熱変色させることができる。また、前記第４の発明の熱変色性筆記具１は、第１の熱変色性インキの筆跡と、第２の熱変色性インキの筆跡が重なった状態での場合でも、異なる発色状態の色によって前記２種類の筆跡を識別できる。
【００１４】
本願の第５の発明は、前記第１乃至第４の発明において、前記第１の熱変色性インキ及び前記第２の熱変色性インキの各々の、摩擦部５の摩擦熱による変色温度を２５℃〜９５℃（好ましくは３６℃〜９０℃）に設定したこと（請求項５）を要件とする。
【００１５】
前記第５の発明の熱変色性筆記具１は、摩擦部５による摩擦熱によって、第１の熱変色性インキと第２の熱変色性インキとによる２種類の筆跡を、確実に、一度に熱変色させることができる。もし、第１の熱変色性インキの変色温度と第２の熱変色性インキの変色温度のいずれかが、前記温度範囲から外れている場合、２種類の筆跡を、摩擦部５の摩擦熱で一度に熱変色できないおそれがある。
【００１６】
尚、本発明で、前記摩擦部５は軟質材料からなることが好ましい。前記摩擦部５を構成する軟質材料とは、弾性を有する樹脂（ゴム、エラストマー）が挙げられ、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。
【００１７】
前記摩擦部５を構成する軟質材料は、高摩耗性の弾性材料（例えば、消しゴム等）からなるものよりも、低摩耗性の弾性材料からなるものが、消しカスが生じない点で有効である。
【００１８】
尚、本発明の第１の筆記体２Ａのペン先３Ａ及び第２の筆記体２Ｂのペン先３Ｂは、例えば、ボールペンチップ、多孔質ペン体（繊維加工体または多孔質気泡体）、軸方向の毛細管通路を有する合成樹脂の押出成形よりなるペン体、先端にスリットを有する金属製板状ペン体、毛筆ペン体等、いずれであってもよい。
【００１９】
前記ボールペンチップは、チップ本体の先端に回転可能にボールが抱持された構成である。また、前記ボールペンチップは、ボールをチップ本体内から前方に弾発体により付勢し、ボールをチップ本体のカシメ部（先端縁部）内面に圧接させる構成が有効である。
【００２０】
前記多孔質ペン体は、例えば、繊維加工体または多孔質気泡体からなるペン体が挙げられる。前記多孔質ペン体は、先端部が、チゼル形状または砲弾形状に形成される。
【００２１】
・熱変色性インキ
尚、本発明において、前記熱変色性インキは、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００２２】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性マイクロカプセル顔料が好適に用いられる。
【００２３】
本発明では、図７に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、または完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用されることが好ましい。図７において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００２４】
本発明では、前記熱変色性インキの摩擦体の摩擦熱による変色温度は、２５℃〜９５℃（好ましくは３６℃〜９５℃）に設定される。即ち、本発明では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができるとともに、可逆熱変色性インキによる像または筆跡を摩擦体による摩擦熱で容易に変色することができる。
【００２５】
前記可逆熱変色性マイクロカプセル顔料は、粒子径の平均値が０．５〜５．０μｍ、好ましくは１〜４μｍの範囲にあることが好ましい。平均粒子径が５．０μｍを越える系では、ボールペンチップや多孔質ペン体の毛細間隙からの流出性が低下し、平均粒子径が０．５μｍ以下の系では高濃度の発色性を示し難くなる。
【００２６】
前記可逆熱変色性マイクロカプセル顔料は、インキ組成物全量に対し、２〜５０重量％（好ましくは３〜４０重量％、更に好ましくは、４〜３０重量％）配合することができる。２重量％未満では発色濃度が不充分であり、５０重量％を越えるとインキ流出性が低下し、筆記性が阻害される。
【発明の効果】
【００２７】
本発明は、複数の筆記体の保管が容易となるとともに、熱変色性インキの筆跡を小さな荷重で容易に熱変色することができる。
【発明を実施するための最良の形態】
【００２８】
＜第１の実施の形態＞
本発明の熱変色性筆記具１の第１の実施の形態を図１乃至図３に示す。
本実施の形態の熱変色性筆記具１は、第１の挿着孔４Ａ及び第２の挿着孔４Ｂを備えたキャップ４と、前記キャップ４の第１の挿着孔４Ａに着脱自在に挿着可能な第１の筆記体２Ａと、前記キャップ４の第２の挿着孔４Ｂに着脱自在に挿着可能な第２の筆記体２Ｂとからなる。
【００２９】
・第１の筆記体
前記第１の筆記体２Ａは、一端にペン先３Ａを備え且つ内部に第１の熱変色性インキが収容され、前記ペン先３Ａから第１の熱変色性インキが吐出可能に構成される。
【００３０】
・第２の筆記体
前記第２の筆記体２Ｂは、一端にペン先３Ｂを備え且つ内部に第２の熱変色性インキが収容され、前記ペン先３Ｂから第２の熱変色性インキが吐出可能に構成される。
【００３１】
・第１の熱変色性インキ
前記第１の熱変色性インキは、低温側変色点（完全発色温度ｔ１）が−３０℃〜−１０℃の範囲の任意の温度に設定され、高温側変色点（完全消色温度ｔ４）が６０℃〜８０℃の範囲の任意の温度に設定され、ヒステリシス幅ΔＨが４０℃〜６０℃の範囲を示す可逆熱変色性インキが採用される。
【００３２】
・第２の熱変色性インキ
前記第２の熱変色性インキは、低温側変色点（完全発色温度ｔ１）が−３０℃〜−１０℃の範囲の任意の温度に設定され、高温側変色点（完全消色温度ｔ４）が６０℃〜８０℃の範囲の任意の温度に設定され、ヒステリシス幅ΔＨが４０℃〜６０℃の範囲を示す可逆熱変色性インキが採用される。
【００３３】
尚、前記第１の熱変色性インキの発色状態の色と前記第２の熱変色性インキの発色状態の色とが異なる。
【００３４】
・キャップ
キャップ４は、全体が軟質材料（例えば、ＳＢＳ樹脂、ＳＥＢＳ樹脂）により形成され、前記キャップ４全体の外面には摩擦部５が構成される。前記キャップ４には、第１の挿着孔４Ａと第２の挿着孔４Ｂとが互いに平行状態に設けられる。第１の挿着孔４Ａの一端及び第２の挿着孔４Ｂの一端が同一方向に開口されるとともに、第１の挿着孔４Ａの他端及び第２の挿着孔４Ｂの他端が閉鎖される。
【００３５】
前記キャップ４は、直方体形状である。それにより、摩擦時のキャップ４外面を把持する面積が増加し、安定した摩擦動作が可能となり、しかも、不使用時、嵩張らず、携帯に便利となる。尚、本発明で、キャップ４の形状は、これ以外にも、円柱、多角柱、球、半球、任意の形象物を模した形状等、何れであってもよい。
【００３６】
尚、図示はしないが、前記第１の実施の形態において、第１の筆記体２Ａの第１のペン先３Ａ側に着脱自在に第１の小キャップを装着し、前記第１の小キャップを第１の筆記体２Ａのペン先３Ａ側に装着した状態で、キャップ４の第１の挿着孔４Ａに第１の筆記体２Ａのペン先３Ａ側（第２の小キャップ）を着脱自在に挿着してもよい。
【００３７】
同様に、図示はしないが、前記第１の実施の形態において、第２の筆記体２Ｂの第２のペン先３Ｂ側に着脱自在に第２の小キャップを装着し、前記第２の小キャップを第２の筆記体２Ｂのペン先３Ｂ側に装着した状態で、キャップ４の第２の挿着孔４Ｂに第２の筆記体２Ｂのペン先３Ｂ側（第１の小キャップ）を着脱自在に挿着してもよい。
【００３８】
＜第２の実施の形態＞
本発明の熱変色性筆記具１の第２の実施の形態を図４に示す。
本実施の形態の熱変色性筆記具１は、キャップ４が、第１の挿着孔４Ａ及び第２の挿着孔４Ｂを備えたキャップ本体６と、前記キャップ本体６の外面に固着される摩擦部５とからなる。前記摩擦部５は、軟質材料（例えば、ＳＢＳ樹脂、ＳＥＢＳ樹脂）により構成され、前記キャップ本体６は、前記摩擦部５よりも硬質な材料（例えば、ポリカーボネイト、ポリプロピレン、ポリエチレンテレフタレート等の合成樹脂）からなる。前記摩擦部５は、キャップ本体６の第１の挿着孔４Ａ及び第２の挿着孔４Ｂの閉鎖側に固着される。前記摩擦部５は、キャップ本体６に外面に嵌着、圧入、螺着、接着、溶着、又は２色成形により固着される。
【００３９】
尚、本実施の形態に用いる第１の筆記体２Ａ及び第２の筆記体２Ｂは、第１の実施の形態と同様であるため、説明を省略する。
【００４０】
＜第３の実施の形態＞
本発明の熱変色性筆記具１の第３の実施の形態を図５及び図６に示す。
本実施の形態の熱変色性筆記具１は、キャップ４が、第１の挿着孔４Ａ、第２の挿着孔４Ｂをそれぞれ構成する円筒状の２つのキャップ本体６Ａ，６Ｂと、前記２つのキャップ本体６Ａ，６Ｂの外面に固着される摩擦部５とからなる。前記各々のキャップ本体６Ａ，６Ｂは、前記摩擦部５よりも硬質な材料（例えば、ポリカーボネイト、ポリプロピレン、ポリエチレンテレフタレート等の合成樹脂）からなる。前記各々のキャップ本体６Ａ、６Ｂは、摩擦部５の各々の取付孔５Ａ，５Ｂ内面に嵌着、圧入、螺着、接着、溶着、又は２色成形により固着される。
【００４１】
前記摩擦部５は、軟質材料（例えば、ＳＢＳ樹脂、ＳＥＢＳ樹脂）により構成され、直方体形状を有する。前記摩擦部５には、２つの取付孔５Ａ，５Ｂが形成される。前記２つの取付孔５Ａに、各々のキャップ本体６Ａ，６Ｂが収容・固着される。
【図面の簡単な説明】
【００４２】
【図１】本発明の第１の実施の形態の要部縦断面図である。
【図２】図１のキャップの縦断面図である。
【図３】図２のＡ−Ａ線端面図である。
【図４】本発明の第２の実施の形態のキャップの縦断面図である。
【図５】本発明の第３の実施の形態のキャップの縦断面図である。
【図６】図５のＢ−Ｂ線端面図である。
【図７】可逆熱変色性組成物の変色挙動を示す説明図である。
【符号の説明】
【００４３】
１  熱変色性筆記具
２Ａ  第１の筆記体
２Ｂ  第２の筆記体
３Ａ  ペン先
３Ｂ  ペン先
４  キャップ
４Ａ  第１の挿着孔
４Ｂ  第２の挿着孔
５  摩擦部
５Ａ  取付孔
５Ｂ  取付孔
６  キャップ本体
６Ａ  キャップ本体
６Ｂ  キャップ本体
【図１】
2009107229.tif 000003
【図２】
2009107229.tif 000004
【図３】
2009107229.tif 000005
【図４】
2009107229.tif 000006
【図５】
2009107229.tif 000007
【図６】
2009107229.tif 000008
【図７】
2009107229.tif 000009